(57)【要約】【課題】内視鏡の洗浄工程を管理する技術を提供する。【解決手段】取得部３０は、用手洗浄の開始時刻を示す時刻情報、および用手洗浄の終了時刻を示す時刻情報を取得する。時間導出部３４は、取得部３０が取得した時刻情報から、用手洗浄の実施時間を導出する。判定部３６は、時間導出部３４により導出された用手洗浄の実施時間を、用手洗浄の基準洗浄時間と比較して、用手洗浄が適切に実施されたか否かを判定する。通知処理部３８は、判定部３６により用手洗浄が適切に実施されていないことが判定された場合に、所定の通知を行う。【選択図】図２
2019005033.tif 000002
【特許請求の範囲】
【請求項１】
内視鏡の洗浄工程を管理する内視鏡管理システムであって、
用手洗浄の開始時刻を示す時刻情報、および用手洗浄の終了時刻を示す時刻情報を取得する取得部と、
前記取得部が取得した時刻情報から、用手洗浄の実施時間を導出する時間導出部と、
前記時間導出部により導出された用手洗浄の実施時間を、用手洗浄の基準洗浄時間と比較して、用手洗浄が適切に実施されたか否かを判定する判定部と、
前記判定部により用手洗浄が適切に実施されていないことが判定された場合に、所定の通知を行う通知処理部と、
を備えることを特徴とする内視鏡管理システム。
【請求項２】
前記取得部は、検査の終了時刻を示す時刻情報を取得し、
前記時間導出部は、前記取得部が取得した時刻情報から、検査終了から用手洗浄開始までの洗浄待ち時間を導出し、
前記判定部は、前記時間導出部により導出された洗浄待ち時間を、検査終了から用手洗浄開始までの許容待ち時間と比較して、用手洗浄が適切に開始されたか否かを判定する、
ことを特徴とする請求項１に記載の内視鏡管理システム。
【請求項３】
前記取得部は、検査の終了時刻を示す時刻情報を取得し、
前記時間導出部は、前記取得部が取得した時刻情報から、検査終了から現在時刻までの洗浄待ち時間を導出し、
前記判定部は、前記時間導出部により導出された洗浄待ち時間を、検査終了から用手洗浄開始までの許容待ち時間と比較して、洗浄待ち時間が許容待ち時間を超えているか否かを判定し、
前記判定部により洗浄待ち時間が許容待ち時間を超えていることが判定された場合に、前記通知処理部は、所定の通知を行う、
ことを特徴とする請求項１に記載の内視鏡管理システム。
【請求項４】
前記取得部は、内視鏡を識別する内視鏡ＩＤとともに、時刻情報を取得する、
ことを特徴とする請求項１から３のいずれかに記載の内視鏡管理システム。
【請求項５】
前記取得部は、作業者を識別する作業者ＩＤを取得する、
ことを特徴とする請求項４に記載の内視鏡管理システム。
【発明の詳細な説明】
【技術分野】
【０００１】
本発明は、内視鏡の洗浄工程を管理する技術に関する。
【背景技術】
【０００２】
日本では１９９８年に日本消化器内視鏡学会が「消化器内視鏡機器洗浄・消毒法ガイドライン」を発表し、医療施設では内視鏡検査による感染を防止するために、発表されたガイドラインを遵守した洗浄、消毒が行われている。内視鏡の洗浄、消毒を効率的に行うために、内視鏡洗浄装置を利用する医療施設は多く、内視鏡洗浄装置は、内視鏡の洗浄工程、消毒工程、すすぎ工程を自動的に行う。
【０００３】
特許文献１は、洗浄機に内視鏡本体を投入したタイミングで洗浄機が洗浄機投入済み信号を出力して、ＩＣタグがこれを受信し、所定時間経過しても洗浄終了信号を受信しなかった場合に洗浄ミスが発生したと判断して、洗浄ミスの発生を表示部に表示する内視鏡装置を開示する。
【先行技術文献】
【特許文献】
【０００４】
【特許文献１】特開２０１０−８８７２０号公報
【発明の概要】
【発明が解決しようとする課題】
【０００５】
医療機器は、滅菌・消毒カテゴリーによりクリティカル機器、セミクリティカル機器、ノンクリティカル機器に分類されるが、内視鏡はセミクリティカル機器に属し、滅菌もしくは高度作用消毒を要求される。そのため内視鏡洗浄装置は高度作用消毒剤であるグルタルアルデヒド（ＧＡ）等の薬液を使用する。
【０００６】
洗浄作業者は、内視鏡洗浄装置の洗浄槽に内視鏡をセットする前に、吸引・鉗子チャンネルの吸引洗浄、内視鏡外表面の洗浄、吸引・鉗子チャンネルのブラッシングを義務づけられる。内視鏡洗浄装置では高度作用消毒剤が使用されるが、内視鏡に残留している蛋白残留物が、高度作用消毒剤の効果を落とすことが知られている。そのため洗浄作業者は内視鏡を洗浄槽にセットする前に、患者の粘液や血液などによる蛋白残留物を用手洗浄により可能な限り除去する必要がある。
【０００７】
このように内視鏡を洗浄装置にセットする前に実施される用手洗浄は感染防止のために重要な作業であるため、上司などの管理者が、洗浄作業者による用手洗浄の実施を適切に管理することが好ましい。しかしながら現実には管理者に用手洗浄の状況を監視するような時間はないため、用手洗浄の実施をシステムとして管理する仕組みの開発が切望されている。
【０００８】
本発明はこうした状況に鑑みてなされたものであり、その目的は、洗浄作業者の用手洗浄作業を管理する技術を提供することにある。
【課題を解決するための手段】
【０００９】
上記課題を解決するために、本発明のある態様の内視鏡管理システムは、内視鏡の洗浄工程を管理する内視鏡管理システムであって、用手洗浄の開始時刻を示す時刻情報、および用手洗浄の終了時刻を示す時刻情報を取得する取得部と、取得部が取得した時刻情報から、用手洗浄の実施時間を導出する時間導出部と、時間導出部により導出された用手洗浄の実施時間を、用手洗浄の基準洗浄時間と比較して、用手洗浄が適切に実施されたか否かを判定する判定部と、判定部により用手洗浄が適切に実施されていないことが判定された場合に、所定の通知を行う通知処理部と、を備える。
【００１０】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１１】
本発明によれば、洗浄作業者の用手洗浄作業を管理する技術を提供できる。
【図面の簡単な説明】
【００１２】
【図１】実施例にかかる内視鏡管理システムの構成を示す図である。
【図２】管理装置の構成を示す図である。
【図３】実施例における内視鏡のステータス遷移図である。
【図４】通知処理部による通知例を示す図である。
【図５】通知処理部による通知例を示す図である。
【発明を実施するための形態】
【００１３】
図１は、実施例にかかる内視鏡管理システム１の構成を示す。内視鏡３は識別情報（スコープＩＤ）を有し、管理装置１０は内視鏡検査の業務フローにしたがって、スコープＩＤをもとに内視鏡３のステータスを管理する。内視鏡管理システム１において、管理装置１０は、ＬＡＮ（ローカルエリアネットワーク）などのネットワーク２を介して、観測装置４、保管庫５、シンク２０、洗浄装置２２および表示装置２４とそれぞれ通信可能に接続している。
【００１４】
図２は、管理装置１０の構成を示す。管理装置１０は、取得部３０、ステータス管理部３２、時間導出部３４、判定部３６、通知処理部３８、情報記録部４０、統計処理部４２および検査画像記録部５０を備える。これらの構成はハードウエア的には、任意のプロセッサ、メモリ、補助記憶装置、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１５】
図３は、実施例における内視鏡３のステータス遷移図を示す。管理装置１０は内視鏡３のステータスを、「使用中」（ＳＴ１）、「使用済」（ＳＴ２）、「用手洗浄中」（ＳＴ３）、「用手洗浄済」（ＳＴ４）、「機械洗浄中」（ＳＴ５）、「機械洗浄済」（ＳＴ６）、「保管中」（ＳＴ７）の７つのステータスで管理する。図３において、内視鏡３のステータスは、矢印の向きで特定される方向への遷移を可能とする。
【００１６】
検査開始前、内視鏡３が看護師によって観測装置４に接続されると、観測装置４は、内視鏡３のスコープＩＤを取得する。観測装置４に設けられた検査開始ボタンが操作されると、観測装置４は、スコープＩＤとともに、検査開始を示す情報を管理装置１０に送信して、内視鏡検査が開始される。検査中、観測装置４は、内視鏡３で取得した画像データを表示装置に体内画像としてリアルタイム表示し、また内視鏡３のレリーズスイッチが押されたタイミングで検査画像を取得して、管理装置１０に送信する。観測装置４に設けられた検査終了ボタンが操作されると、観測装置４は、スコープＩＤとともに、検査終了を示す情報を管理装置１０に送信して、内視鏡検査が終了する。
【００１７】
管理装置１０において、取得部３０が、観測装置４からスコープＩＤおよび検査開始情報を受信すると、受信した受信時刻とともに、スコープＩＤおよび検査開始情報を情報記録部４０に記録する。ここで受信時刻は、検査開始時刻に等しい。このときステータス管理部３２は、内視鏡３のステータスを「使用中」（ＳＴ１）に設定する。検査で内視鏡３を使用中、観測装置４が検査画像データを管理装置１０に送信すると、取得部３０が検査画像データを取得して、検査画像記録部５０に記録する。その後、取得部３０が、観測装置４からスコープＩＤおよび検査終了情報を受信すると、受信した受信時刻とともに、スコープＩＤおよび検査終了情報を情報記録部４０に記録する。この受信時刻は、検査終了時刻に等しい。このときステータス管理部３２は、内視鏡３のステータスを「使用済」（ＳＴ２）に設定する。
【００１８】
検査終了直後、洗浄作業者は検査室において、内視鏡外表面の拭き取りと、吸引・鉗子チャンネルの吸引洗浄を行う。この洗浄工程は、ベッドサイド洗浄とも呼ばれる。洗浄作業者は、ベッドサイド洗浄した内視鏡３を専用容器に入れて、周囲に触れないように洗浄室に運び込む。洗浄室には、運び込まれた内視鏡３を洗浄作業者が用手洗浄するためのシンク２０と、用手洗浄された内視鏡３を自動機械洗浄するための洗浄装置２２と、警告などの通知情報や内視鏡３のステータスなどを表示するための表示装置２４とが設けられている。表示装置２４は、洗浄室にいる全ての人が見ることのできる位置に設置されていることが好ましい。
【００１９】
洗浄作業者は、自身を識別するための識別情報（作業者ＩＤ）を記録したＩＤカードを有し、用手洗浄の開始前に、シンク２０の脇に配置されたＩＤ読取部２１にＩＤカードを接触またはかざすことで、ＩＤ読取部２１に作業者ＩＤを読み取らせる。また内視鏡には識別情報（スコープＩＤ）を印刷したテープが貼り付けられ、洗浄作業者は、用手洗浄の開始前に、テープを貼り付けた箇所をＩＤ読取部２１に接触またはかざすことで、ＩＤ読取部２１にスコープＩＤを読み取らせる。スコープＩＤは、どのような形態でテープに印刷されていてもよく、ＩＤ読取部２１により読み取り可能であればよい。なお洗浄作業者は、作業者ＩＤを記録したＲＦＩＤタグを有して、ＲＦＩＤリーダであるＩＤ読取部２１に作業者ＩＤを読み取らせてもよい。このとき内視鏡もスコープＩＤを記録したＲＦＩＤタグを有して、ＩＤ読取部２１にスコープＩＤを読み取らせてもよい。ＩＤ読取部２１は、読み取った作業者ＩＤおよびスコープＩＤを、用手洗浄の開始情報として管理装置１０に送信する。
【００２０】
管理装置１０において、取得部３０が、ＩＤ読取部２１から作業者ＩＤおよびスコープＩＤを用手洗浄の開始情報として受信すると、受信した受信時刻とともに、作業者ＩＤおよびスコープＩＤを、用手洗浄の開始情報として情報記録部４０に記録する。ここで受信時刻は、用手洗浄の開始時刻に等しい。このときステータス管理部３２は、内視鏡３のステータスを「用手洗浄中」（ＳＴ３）に設定する。
【００２１】
洗浄作業者は、作業者ＩＤおよびスコープＩＤをＩＤ読取部２１に読み取らせた後、用手洗浄を開始する。洗浄作業者は、内視鏡から送気・送水ボタン、吸引ボタン、鉗子栓などを取り外し、流水で内視鏡外表面を洗浄する。それから洗浄作業者は、専用のチャンネル洗浄ブラシを用いて、吸引・鉗子チャンネルをブラッシングする。また取り外した送気・送水ボタン、吸引ボタン、鉗子栓をブラシを用いて洗浄する。
【００２２】
用手洗浄を終了すると、洗浄作業者は、作業者ＩＤおよびスコープＩＤを、用手洗浄の終了情報としてＩＤ読取部２１に読み取らせる。ＩＤ読取部２１は、読み取った作業者ＩＤおよびスコープＩＤを、用手洗浄の終了情報として管理装置１０に送信する。管理装置１０において、取得部３０が、ＩＤ読取部２１から作業者ＩＤおよびスコープＩＤを用手洗浄の終了情報として受信すると、受信した受信時刻とともに、作業者ＩＤおよびスコープＩＤを、用手洗浄の終了情報として情報記録部４０に記録する。この受信時刻は、用手洗浄の終了時刻に等しい。このときステータス管理部３２は、内視鏡３のステータスを「用手洗浄済」（ＳＴ４）に設定する。
【００２３】
続いて洗浄作業者は、機械洗浄の開始前に、洗浄装置２２に配置されたＩＤ読取部２３に、作業者のＩＤカードを接触またはかざし、また内視鏡３のスコープＩＤを印刷したテープを接触またはかざして、作業者ＩＤおよびスコープＩＤを読み取らせる。作業者ＩＤおよびスコープＩＤのＩＤ読取部２３における読取処理は、ＩＤ読取部２１における読取処理と同様に実施される。洗浄担当者は、作業者ＩＤおよびスコープＩＤをＩＤ読取部２３に読み取らせた後、用手洗浄した内視鏡３を、洗浄装置２２の洗浄槽にセットし、内視鏡３の洗浄プログラムを選択してから洗浄開始ボタンを操作して、機械洗浄を開始する。洗浄開始ボタンが操作されると、ＩＤ読取部２３は、読み取った作業者ＩＤおよびスコープＩＤを、機械洗浄の開始情報として管理装置１０に送信する。管理装置１０において、取得部３０が、ＩＤ読取部２３から作業者ＩＤおよびスコープＩＤを機械洗浄の開始情報として受信すると、受信した受信時刻とともに、作業者ＩＤおよびスコープＩＤを、機械洗浄の開始情報として情報記録部４０に記録する。この受信時刻は、機械洗浄の開始時刻に等しい。このときステータス管理部３２は、内視鏡３のステータスを「機械洗浄中」（ＳＴ５）に設定する。
【００２４】
機械洗浄が終了すると、洗浄装置２２は、機械洗浄の終了情報を自動的に管理装置１０に送信する。なお機械洗浄の終了後、洗浄作業者が、作業者ＩＤおよびスコープＩＤをＩＤ読取部２３に読み取らせて、ＩＤ読取部２３が、読み取った作業者ＩＤおよびスコープＩＤを、機械洗浄の終了情報として管理装置１０に送信してもよい。管理装置１０において、取得部３０が機械洗浄の終了情報を受信すると、受信した受信時刻とともに、作業者ＩＤおよびスコープＩＤを、機械洗浄の終了情報として情報記録部４０に記録する。この受信時刻は、機械洗浄の終了時刻に等しい。このときステータス管理部３２は、内視鏡３のステータスを「機械洗浄済」（ＳＴ６）に設定する。
【００２５】
機械洗浄が終了した内視鏡３は、検査に使用可能な状態となり、検査室に運ばれて、検査に使用されてもよく、保管庫５に運ばれて収容されてもよい。作業者は内視鏡３を保管庫５に保管する場合、保管庫５に設けられたＩＤ読取部６に、作業者のＩＤカードを接触またはかざし、また内視鏡３のスコープＩＤを印刷したテープを接触またはかざして、作業者ＩＤおよびスコープＩＤを読み取らせた後、内視鏡３を保管庫５に収容する。ＩＤ読取部６は、読み取った作業者ＩＤおよびスコープＩＤを、保管開始情報として管理装置１０に送信する。管理装置１０において、取得部３０が、ＩＤ読取部６から作業者ＩＤおよびスコープＩＤを保管開始情報として受信すると、受信した受信時刻とともに、作業者ＩＤおよびスコープＩＤを、保管開始情報として情報記録部４０に記録する。このときステータス管理部３２は、内視鏡３のステータスを「保管中」（ＳＴ７）に設定する。
【００２６】
内視鏡管理システム１では、以上のようにして管理装置１０が、内視鏡３のステータスを管理する。ステータス管理部３２が、内視鏡検査の業務フローにしたがって内視鏡３のステータスおよび作業者を管理することで、現在の内視鏡３が、どのような状態にあるかをリアルタイムで特定できる。ステータス管理部３２は、表示装置２４に現在の内視鏡３のステータスを表示させてもよく、またパーソナルコンピュータのモニタや作業者が有する端末装置などに表示させてもよい。また情報記録部４０が、内視鏡３のステータス情報の履歴を記録することで、統計処理部４２が、内視鏡３を軸とした統計処理、また作業者を軸とした統計処理を実施できる。実施例の管理装置１０は、内視鏡３のステータス管理を実施している前提のもとで、洗浄工程を効果的に管理する仕組みを提供する。
【００２７】
上記のように、管理装置１０における内視鏡３のステータス管理において、取得部３０は、用手洗浄の開始時に、用手洗浄の開始時刻を示す時刻情報を取得し、また用手洗浄の終了時に、用手洗浄の終了時刻を示す時刻情報を取得する。時間導出部３４は、用手洗浄の実施時間、つまり内視鏡ステータスが「用手洗浄中」（ＳＴ３）である滞在時間を導出する。具体的に時間導出部３４は、用手洗浄の開始時刻と終了時刻との差分から、用手洗浄の実施時間を導出する。
【００２８】
ここで医療施設において、洗浄作業者による用手洗浄には、用手洗浄を開始するまでの許容待ち時間、洗浄手順にしたがって用手洗浄を実施したときの基準洗浄時間とが設定されている。判定部３６は、時間導出部３４により導出された用手洗浄の実施時間を、用手洗浄の基準洗浄時間と比較して、用手洗浄が適切に実施されたか否かを判定する。
【００２９】
判定部３６は、基準洗浄時間をたとえば１０分として保持し、その前後に所定時間の幅をもたせた許容洗浄時間を保持して、時間導出部３４により導出された実施時間が、許容洗浄時間に含まれているか否かで、用手洗浄が適切に実施されたか否かを判定してもよい。たとえば許容洗浄時間は、基準洗浄時間の前後に２分の幅をもたせて８分〜１２分と設定されてよい。
【００３０】
判定部３６は、用手洗浄の基準洗浄時間を用いて、洗浄作業者による用手洗浄が適切に実施されたか判定する。内視鏡管理システム１では、ステータス管理部３２が、内視鏡３のステータスを管理しており、そのため時間導出部３４が、図３に示す各ステータスの滞在時間を取得できるようになっている。実施例では判定部３６が、ＳＴ３の滞在時間を利用することで、用手洗浄が適切に実施されたか否かを、容易に判定できる。
【００３１】
判定部３６により用手洗浄が適切に実施されていないことが判定された場合に、通知処理部３８は、所定の通知を行う。通知処理部３８は、洗浄室に配置された表示装置２４に、用手洗浄が適切に実施されていないことを通知してもよい。表示装置２４は、洗浄室にいる誰もが見ることができる位置に配置されており、したがって洗浄担当者のみならず、管理者も通知を見ることで、管理者による適切な指導も期待される。
【００３２】
図４は、通知処理部３８による通知例を示す。通知処理部３８は、洗浄担当者Ａによる用手洗浄の実施時間が短すぎること、および用手洗浄を再実施するべきことを通知する。
【００３３】
なお実施例においてＩＤ読取部２１、２３は、それぞれシンク２０、洗浄装置２２に備え付けられているが、ＩＤ読取部として、ＩＤリーダ機能を搭載し、且つ表示部を備えた携帯型の端末装置が利用されてもよい。ＩＤリーダ機能を搭載した端末装置は、実施例のようにシンク２０、洗浄装置２２のそれぞれで専用に利用するものとして用意されてよい。つまりシンク２０、洗浄装置２２のそれぞれに用意された端末装置は、取得部３０においてシンク２０に設置されたものであるのか、または洗浄装置２２に設置されたものであるかを区別できるようにされる。ＩＤ読取部を携帯型端末装置で構成することで、作業者による作業者ＩＤやスコープＩＤの読取作業を楽にできる。
【００３４】
なお、この携帯型端末装置は、各作業者により所持されてもよい。この場合、携帯型端末装置は、各作業を実施する前後に、作業者ＩＤおよびスコープＩＤを、作業を特定する情報とともに管理装置１０に送信する。たとえば洗浄担当者が用手洗浄を実施する際には、用手洗浄を実施することを示す情報とともに、作業者ＩＤおよびスコープＩＤを送信させる。作業を特定する情報は、たとえばシンク２０に、作業の識別情報（作業ＩＤ）を印刷したテープが貼り付けられており、携帯型端末装置で作業ＩＤを読み取ることで、作業を特定する情報を送信できるようにしてもよい。
【００３５】
このような携帯型端末装置は、表示部を備えており、したがって通知処理部３８は、携帯型端末装置に、通知を行ってもよい。なお判定部３６は、用手洗浄の実施時間が基準洗浄時間よりも短すぎる場合に、用手洗浄が適切に実施されていないことを判定するが、基準洗浄時間より長すぎる場合も、用手洗浄が適切に実施されていないことを判定する。なお、この場合、通知処理部３８は、用手洗浄が長すぎることを通知するが、図４に示すような用手洗浄の再実施については通知しなくてもよい。
【００３６】
使用済みの内視鏡３に対して検査終了直後に実施されるベッドサイド洗浄はブラッシングを行うものではなく、汚れを十分に除去できるものではない。汚れは次第に乾燥して固化していくため、内視鏡３はベッドサイド洗浄後、ただちに洗浄室に運び込まれて用手洗浄される必要がある。つまり図３に示すステータスにおいて、「使用済」（ＳＴ２）の滞在時間は、所定の短時間以内であることが好ましい。
【００３７】
管理装置１０における内視鏡３のステータス管理において、取得部３０は、検査終了時に、スコープＩＤおよび検査終了情報を受信して、検査の終了時刻を示す時刻情報を取得する。また取得部３０は、用手洗浄の開始時に、用手洗浄の開始時刻を示す時刻情報を取得する。時間導出部３４は、検査終了から用手洗浄開始までの洗浄待ち時間、つまり内視鏡ステータスが「使用済」（ＳＴ２）である滞在時間を導出する。具体的に時間導出部３４は、検査の終了時刻と、用手洗浄の開始時刻との差分から、用手洗浄の待ち時間を導出する。
【００３８】
医療施設において、用手洗浄には、検査終了から用手洗浄開始までの許容待ち時間が設定されている。判定部３６は、時間導出部３４により導出された洗浄待ち時間を、許容待ち時間と比較して、用手洗浄が適切に開始されたか否かを判定する。ここで許容待ち時間が１時間であるとし、用手洗浄が、検査終了から１時間以内に開始されていれば、判定部３６は、用手洗浄が適切に開始されたことを判定する。
【００３９】
一方、用手洗浄の待ち時間が１時間を超えていれば、判定部３６は、用手洗浄が適切に開始されなかったこと、つまり検査終了から１時間以内に開始されなかったことを判定する。このとき内視鏡３に付着した汚れが乾燥して固化することで、通常の用手洗浄では汚れが取れにくくなっている可能性がある。そこで通知処理部３８は、用手洗浄前に、内視鏡３を洗剤に浸漬するべきことを通知する。
【００４０】
図５は、通知処理部３８による通知例を示す。通知処理部３８は、用手洗浄の開始が遅すぎたこと、および内視鏡を洗剤浸漬するべきことを通知する。
【００４１】
なお上記の例では、時間導出部３４が、「使用済」（ＳＴ２）の確定した滞在時間を導出したが、「使用済」（ＳＴ２）の継続時間を導出してもよい。つまり時間導出部３４は、検査終了から現在時刻までの洗浄待ち時間を導出してもよい。
【００４２】
このとき判定部３６は、ＳＴ２の継続時間である洗浄待ち時間を、許容待ち時間（１時間）と比較して、洗浄待ち時間が許容待ち時間を超えているか否かを判定する。このとき洗浄待ち時間が許容待ち時間を超えていれば、通知処理部３８は、所定の通知、たとえば図５に示す通知を行ってもよい。
【００４３】
なお通知処理部３８は、洗浄待ち時間が許容待ち時間を超える前に、通知を行ってもよい。上記のように洗浄待ち時間が許容待ち時間を超えると、用手洗浄の前に内視鏡を洗剤浸漬する必要が生じる。そこで、洗剤浸漬する必要が生じる前に、通知処理部３８が、ただちに内視鏡３を用手洗浄するべきことを表示装置２４から通知してもよい。
【００４４】
なお用手洗浄が実施された内視鏡３は、洗浄装置２２にて機械洗浄される。時間導出部３４は、洗浄開始時刻および洗浄終了時刻から、機械洗浄の実施時間を導出してもよい。機械洗浄の洗浄プログラムは、内視鏡３の種類ごとに定められており、洗浄プログラムによって機械洗浄の実施時間も異なる。そこで判定部３６が、機械洗浄の実施時間が、内視鏡３に応じて定められた洗浄プログラムの実施時間と異なることを判定すると、通知処理部３８が、機械洗浄を再実施するべきことを表示装置２４から通知してもよい。
【００４５】
実施例において、情報記録部４０には、内視鏡のステータスを管理するための様々な情報が記録される。統計処理部４２は、情報記録部４０に記録された情報をもとに、様々な統計データを導出することができる。たとえば統計処理部４２は、洗浄担当者ごとに、用手洗浄の平均時間を導出できる。これにより管理者は、用手洗浄の平均時間が短い洗浄担当者を対象に指導を効率的に行うことができる。
【００４６】
また統計処理部４２は、用手洗浄の待ち時間を、曜日ごとに集計して求めることも可能となる。ある特定の曜日において、用手洗浄の待ち時間が長いことが判明すると、その曜日の作業者を増やすなどして、医療施設として対策を講ずることも可能となる。
【００４７】
以上、本発明を複数の実施例をもとに説明した。これらの実施例は例示であり、それらの各構成要素や各処理プロセスの組合せにいろいろな変形例が可能なこと、またそうした変形例も本発明の範囲にあることは当業者に理解されるところである。
【００４８】
保管庫５における保管時間があまりにも長くなると、洗浄済の内視鏡３に空気中の菌などが付着することがある。そこで医療施設は、保管庫５に保管した洗浄済の内視鏡３に対して、再洗浄が必要となる保管時間を設定することが多い。
【００４９】
保管庫５に保管された内視鏡３は、次回の使用時に保管庫５から取り出される。このとき作業者は、ＩＤ読取部６に、作業者のＩＤカードを接触またはかざし、また内視鏡３のスコープＩＤを印刷したテープを接触またはかざして、作業者ＩＤおよびスコープＩＤを読み取らせる。ＩＤ読取部６は、読み取った作業者ＩＤおよびスコープＩＤを、保管終了情報として管理装置１０に送信する。
【００５０】
管理装置１０において、時間導出部３４は、内視鏡３の保管時間を、保管開始時刻と保管終了時刻との差分から導出する。ここで医療施設において、機械洗浄済の内視鏡３の再洗浄が必要となる保管時間が７日と設定されている場合、判定部３６は、時間導出部３４により導出された保管時間を、再洗浄が必要となる保管時間（７日）と比較して、再洗浄が必要か否かを判定する。
【００５１】
判定部３６が、再洗浄が必要と判定した場合、通知処理部３８が、たとえば作業者が有している携帯型端末装置や、保管庫５に設置されたモニタ（図示せず）などに、再洗浄が必要であることを通知する。これにより作業者は、保管庫５から取り出した内視鏡３をただちに検査に使用することはできず、洗浄装置２２によって再洗浄が必要であることを認識する。なお、この例で作業者は、保管庫５から内視鏡３を取り出す際に、必ずしもＩＤ読取部６に作業者ＩＤおよびスコープＩＤを読み取らせなくてもよい。この場合は、作業者が内視鏡３を観測装置４に接続した際に、管理装置１０の時間導出部３４による保管時間の導出処理および判定部３６による判定処理が実施されてもよい。また作業者が内視鏡３を保管庫５から取り出す前に、時間導出部３４による保管時間の導出処理および判定部３６による判定処理が自律的に実施されて、通知処理部３８が、保管中の内視鏡３の再洗浄が必要であることを作業者に通知するようにしてもよい。
【符号の説明】
【００５２】
１・・・内視鏡管理システム、３・・・内視鏡、４・・・観測装置、５・・・保管庫、６・・・ＩＤ読取部、１０・・・管理装置、２０・・・シンク、２１・・・ＩＤ読取部、２２・・・洗浄装置、２３・・・ＩＤ読取部、２４・・・表示装置、３０・・・取得部、３２・・・ステータス管理部、３４・・・時間導出部、３６・・・判定部、３８・・・通知処理部、４０・・・情報記録部、４２・・・統計処理部、５０・・・検査画像記録部。
【図１】
2019005033.tif 000003
【図２】
2019005033.tif 000004
【図３】
2019005033.tif 000005
【図４】
2019005033.tif 000006
【図５】
2019005033.tif 000007